(57)【要約】【課題】コンクリートより軽量なコルゲート板を使用するので軟弱地盤にも好適であるし、表面はボルト・ナット類の突起物の無い平滑面からなるので雑草等が絡まることもなく水を円滑に流下させることができ、地中への漏水も防止して耐久性にも優れている用水路被覆構造体及び用水路の被覆工法を提供する。【解決手段】用水路被覆構造体１を構成し、用水路の底面から両側面にかけて配置する複数本の支持枠材２上には、底面コルゲート鋼板及び側面コルゲート鋼板４が敷設してある。コルゲート鋼板３、４の表面にはボルト・ナットが突出しない厚さのポリウレタン製の被覆材８が配設してある。被覆材８の表面には耐久性被装材９が配設してあり、流水面は平滑面に形成してある。【選択図】図３
2015166539.tif 000002
【特許請求の範囲】
【請求項１】
用水路の底面から両側面にかけて配置され、所定の間隔で長手方向に列設する複数本の支持枠材と、該支持枠材上に敷設され、前記用水路の底面及び側面を覆うコルゲート板と、該コルゲート板の表面を覆うように配設した被覆材と、該被覆材の表面を覆うように配設した耐久性被装材とから構成することにより、流水面を平滑面に形成してなる用水路被覆構造体。
【請求項２】
前記コルゲート板、被覆材及び耐久性被装材の上端側は、前記用水路の長手方向に沿って略冂字状の傘木で覆ってあることを特徴とする請求項１記載の用水路被覆構造体。
【請求項３】
前記被覆材は、軟質材からなることを特徴とする請求項１記載の用水路被覆構造体。
【請求項４】
前記耐久性被装材は、ポリマーセメントモルタルに高炉スラグ及び短繊維を混合したものであることを特徴とする請求項１記載の用水路被覆構造体。
【請求項５】
請求項１記載の用水路被覆構造体は、連結した複数枚をユニットとし、隣接する該ユニット同士は伸縮吸収体によって連結してあることを特徴とする用水路被覆構造体。
【請求項６】
用水路の底面及び両側面を整備する前処理工程と、該用水路の底面から両側面に沿った略凵字状の支持枠材の複数本を、用水路の長手方向に所定の間隔で列設する支持枠材列設工程と、該支持枠材上にコルゲート板を敷設することにより前記用水路の底面及び両側面を覆うコルゲート板敷設工程と、該コルゲート板の表面に被覆材を配設する被覆材配設工程と、該被覆材の表面に耐久性被装材を被着する被装材被着工程とにより、流水面が平滑面からなる用水路被覆構造体を設置するようにした用水路の被覆工法。
【請求項７】
前記耐久性被装材は、ポリマーセメントモルタルに高炉スラグ及び短繊維を混合したものであることを特徴とする請求項６記載の用水路の被覆工法。
【発明の詳細な説明】
【技術分野】
【０００１】
本発明は、水田、畑に設置する農業用水路、その他の用水路が大雨により崩壊し、或いは堆積物によって円滑な流水が妨げられる事態や、用水路から地中に漏水して隣接地を湿潤化する事態を防止し、また用水路の耐久性を高めるようにした用水路被覆構造体及び用水路の被覆工法に関する。
【背景技術】
【０００２】
例えば、農業用水路は、地盤に略凵状の溝を掘削形成し、該溝の底面と両側面をコンクリートで覆ってコンクリート製被覆体に構成しているのが一般的であるが、コンクリート製用水路は重量があるために軟弱地盤には向かないという問題がある。そこで、軟弱地盤の地域では、コンクリートより軽量のコルゲート鋼板（波型鋼板）で溝の底面と側面を覆い、連接するコルゲート鋼板同士は防水用ゴムパッキンを挟んでボルト・ナットで連結して敷設するコルゲート鋼板製被覆体に構成にしてある。
【０００３】
しかし、大雨や積雪時の圧力により、また発錆による劣化によってコルゲート鋼板やゴムパッキンが次第に変形して連結部位から地中に漏水して隣接地の湿潤化を招くという問題、端部側が捲れて強度性が損なわれると共に土砂の流出を招くという問題がある。また、図７に示すように、コルゲート鋼板３１の表面３１Ａに連結用のボルト・ナット３２が約３０ｍｍ突出しており、これに草、ごみが纏わり付いて次第に大きな塊になり、これに枯れ枝等の大きなごみが掛って水の流れを妨げるだけでなく、用水路からの溢流を招くという問題があり、数年毎にゴミの除去作業が必要とされる。また、景観を損なうという問題もある。
【０００４】
そこで、補修箇所にゴムシートを被せる、樹脂塗装を施すといった補修方法を行い、或いは、凹凸の変形が激しい地盤では埋設管を配設するといった補修方法も行われている。
【先行技術文献】
【特許文献】
【０００５】
【特許文献１】見出せず。
【発明の概要】
【発明が解決しようとする課題】
【０００６】
しかし、上述したゴムシートで補修する方法は水圧や流下する固形物によってゴムシートが剥がれるという欠点、樹脂塗装を施す方法は紫外線よる劣化を生じるという欠点があり、耐久性のある確実な補修方法が提案されていないのが現状である。また、埋設管による補修方法はコストが嵩むという欠点があり、しかも補修箇所は年々が増えることからコストが嵩む欠点は補修方法として採用し難いという問題がある。
【０００７】
本発明は上述した従来技術の諸欠点に鑑みなされたもので、コンクリートより軽量なコルゲート板を使用するので軟弱地盤にも好適であるし、表面はボルト・ナット類の突起物の無い平滑面からなるので雑草等が絡まることもなく水を円滑に流下させることができ、地中への漏水も防止して耐久性にも優れている用水路被覆構造体及び用水路の被覆工法を提供することを目的とする。
【課題を解決するための手段】
【０００８】
上述した課題を解決するために構成した請求項１に係る本発明の手段は、用水路の底面から両側面にかけて配置され、所定の間隔で長手方向に列設する複数本の支持枠材と、該支持枠材上に敷設され、前記用水路の底面及び側面を覆うコルゲート板と、該コルゲート板の表面を覆うように配設した被覆材と、該被覆材の表面を覆うように配設した耐久性被装材とから構成することにより、流水面を平滑面に形成したことにある。
【０００９】
そして、前記コルゲート板、被覆材及び耐久性被装材の上端側は、前記用水路の長手方向に沿って略冂字状の傘木で覆う構成にするとよい。
【００１０】
また、前記被覆材は、軟質材であるとよい。
【００１１】
また、前記耐久性被装材は、ポリマーセメントモルタルに高炉スラグ及び短繊維を混合したものであるとよい。
【００１２】
請求項１記載の用水路被覆構造体は、連結した複数枚をユニットとし、隣接する該ユニット同士は伸縮吸収体によって連結するとよい。
【００１３】
更に、本願の請求項６に係る本発明を構成する手段は、用水路の底面及び両側面を整備する前処理工程と、該用水路の底面から両側面に沿った略凵字状の支持枠材の複数本を、用水路の長手方向に所定の間隔で列設する支持枠材列設工程と、該支持枠材上にコルゲート板を敷設することにより前記用水路の底面及び両側面を覆うコルゲート板敷設工程と、該コルゲート板の表面に被覆材を配設する被覆材配設工程と、該被覆材の表面に耐久性被装材を被着する被装材被着工程とにより、流水面が平滑面からなる用水路被覆構造体を設置することにある。
【００１４】
そして、前記耐久性被装材は、ポリマーセメントモルタルに高炉スラグ及び短繊維を混合したものであるとよい。
【発明の効果】
【００１５】
本発明は上述の如く構成したから下記の諸効果を奏する。
（１）用水路被覆構造体は、コルゲート板の表面を被覆材で覆ってボルト・ナット等が表面に突出しない平滑面に形成したから、水は円滑に流下することができるし、ゴミ等が掛着して肥大化し水の流れを妨げることによる溢流問題も解消することができる。
（２）用水路被覆構造体は、コルゲート板の表面を被覆材と耐久性被装材の２層で被覆する構成にしたから、強度性と耐久性に優れているし、地中への漏水を確実に防止して近隣地を湿潤化する問題を解決することができ、かつ補修費やコルゲート板の取り替え費を大幅に節減することができる。
（３）ゴミ除去作業が不要になるから維持管理費を節減できるし、景観が損なわれる問題も解決できる。
（４）被覆材には軟質材を用いたから、コルゲート板の伸縮や歪に追随できるので用水路被覆構造体が大きく損壊することがない。
（５）コルゲート板は用水路に所定の間隔で配置する支持枠材によって底部から両側部を支持する構成にしたから、地震等による地盤の変形や豪雨時の水圧に対する強度性を持有しており、耐久性に優れている。
（６）耐久性被装材は、ポリマーセメントモルタルに高炉スラグ及び短繊維を混合したもので、靭性が高いことから豪雨や地震による微細振動に対するひび割れ抵抗性がある。
（７）コルゲート板、被覆材及び耐久性被装材の上端側は、用水路の長手方向に沿って略冂字状の傘木で覆った構成にし、雨水の浸透や凍結による各構成材の剥離現象を防止するようにしたから、耐久性に優れた用水路被覆構造体にできる。
（８）用水路被覆構造体は、複数枚を連結してユニットとし、隣接する該ユニット同士は伸縮緩衝体によって連結し、気温や水温の変化によるコルゲート板の伸縮を吸収する構成にしたから、変形による漏水を解決すると共に耐久性を高めることができる。
【図面の簡単な説明】
【００１６】
【図１】本発明の実施の形態に係る用水路被覆構造体の部分平面図である。
【図２】図１中のＩＩ−ＩＩ矢示方向断面図である。
【図３】用水路被覆構造体の部分横断面図である。
【図４】図３中のＩＶ−ＩＶ矢示方向部分縦断面図である。
【図５】コルゲート鋼板の連結構造を示す部分拡大端面図である。
【図６】コルゲート鋼板の伸縮吸収体の部分拡大端面図である。
【図７】従来技術に係る用水路被覆体の構成説明図である。
【発明を実施するための形態】
【００１７】
以下、本発明の実施の形態を図面に基づき詳述する。図において、５１は地盤、５２は後述する用水路被覆構造体１（以下、被覆構造体１という。）を設置する農業用の用水路で、該用水路５２は地盤５１に底面５２Ａと、若干傾斜した側面５２Ｂ、５２Ｂを掘削して上方が若干開いた略凵字状に形成してある。
【００１８】
１は前記用水路５２を保護するための被覆構造体、２、２、・・は該被覆構造体１を構成する複数本の支持枠材で、該各支持枠材２は角材により下枠材部２Ａと、該下枠材部２Ａの両端から斜めに起立する側枠材部２Ｂ、２Ｂとから上方が開いた略凵字状に形成してあり、用水路５２の底面５２Ａ及び両側面５２Ｂ、５２Ｂに沿って所定の間隔、本実施の形態では９００ｍｍの間隔で地盤５１に配設してある。
【００１９】
３は用水路５２の底面５２Ａを覆う底面コルゲート鋼板で、該底面コルゲート鋼板３は前記各支持枠材２の下枠材部２Ａ上に敷設して用水路５２の長手方向に列設してある。４、４は用水路５２の各側面５２Ｂを覆う側面コルゲート鋼板を示し、該各側面コルゲート鋼板４は各支持枠材２の側枠材部２Ｂ上に敷設して用水路５２の長手方向に列設してある。そして、底面コルゲート鋼板３は下枠材部２Ａに、側面コルゲート鋼板４は側枠材部２Ｂに夫々嵌合したＵ字型ボルト本体５Ａとナット５Ｂからなる締着部材５で固定してあり、各コルゲート鋼板３、４は支持枠材２と一体化することで形態の安定性と強度性を有している。
【００２０】
また、列設した底面コルゲート鋼板同士３、３は、図５に示すように、一側縁部３Ｂと他側縁部３Ｃを重畳して連結ボルト・ナット６で締着して連結することにより一体性と強度性を持たせ、重畳部位の隙間は後述するエフモル等のシール材７で被覆して防水性を持たせてある。
同様にして、側面コルゲート鋼板４、４同士及び底面コルゲート鋼板３と側面コルゲート鋼板４も連結ボルト・ナット６で連結して一体性と強度性を持たせ、シール材７で被覆して防水性を持たせてある。
【００２１】
８は底面コルゲート鋼板３及び側面コルゲート鋼板４の各表面３Ａ、４Ｂを覆うように配設した被覆材を示す。該被覆材８はコルゲート鋼板３、４の温度変化による伸縮を吸収可能な材、例えばポリウレタンや合成ゴムのような弾性及び柔軟性を有する軟質材によって厚さ約５０ｍｍの板状に形成してあり、締着部材５のＵ字型ボルト５Ａ・ナット５Ｂ及び連結ボルト・ナット６に対応する位置に収容穴８Ａが形成してある。そして、被覆材８は底面コルゲート鋼板３の表面３Ａ及び側面コルゲート鋼板４の表面４Ｂに裏面８Ｂを接着剤によって接着して固定してある。被覆材８の厚さを約５０ｍｍに設定したのは、前記Ｕ字型ボルト５Ａ及びナット５Ｂ、連結ボルト・ナット６を完全に収容するためである。
【００２２】
９は前記被覆材８の表面８Ｃを覆うように形成した耐久性被装材である。該耐久性被装材９は、流下する流木、土砂等の固形物から軟質材である被覆材８を保護するもので、耐凍害性、耐摩耗性、耐衝撃性、靭性を有することで耐久性のある材料、本実施の形態ではポリマーセメントモルタルに高炉スラグと短繊維を混合した材料、商品名エフモル（登録商標）を吹付手段によって被覆材８の表面８Ｃに厚さ約３０ｍｍに形成したものからなる。また、耐久性被装材９は前記収容穴８Ａに充填することにより、被覆材８の表面８Ｃを平坦に形成してある。
【００２３】
１０は側面コルゲート鋼板４、被覆材８及び耐久性被装材９の上端側を覆うステンレススチール製の傘木を示す。該傘木１０は帯状の上面部１０Ａと、該上面部１０Ａの一側縁から下方に伸びる表面部１０Ｂと、上面部１０Ａの他側縁から下方に伸びる裏面部１０Ｃとから側面視で略傾斜冂状に形成した形状からなり、上方から嵌合して傘木１０の表面部１０Ｂの下端と耐久性被装材９の部位にシール材７を塗布して隙間から雨水等が浸入するのを防止している。
【００２４】
この傘木１０は、側面コルゲート鋼板４、被覆材８及び耐久性被装材９の上側縁部を覆うことで、これら構成材の間に雨水が浸入し、また浸入した雨水が凍結膨脹して剥離現象を招いて被覆構造体１を損壊させる事態を防止し、また紫外線で劣化する事態を可及的に防止する。更に、側面コルゲート鋼板４、被覆材８及び耐久性被装材９を一体化することで被覆構造体１の強度性を高めている。これらの機能を発揮するために、傘木１０は耐候性と強度性に優れたステンレススチール材で成形してある。
【００２５】
更に、所定枚数の底面コルゲート鋼板３及び側面コルゲート鋼板４は上述の如く連結することでユニットＹとし、列設するユニットＹ、Ｙ同士は伸縮緩衝体１１によって連結してある。該伸縮緩衝体１１はゴム製の伸縮板１２と、該伸縮板１２の端部１２ＡをユニットＹの端に位置する底面コルゲート鋼板３及び側面コルゲート鋼板４の一側端に重ね、裏面から当て板１３を当接して固定ボルト・ナット１４で締着することにより連結してある。ユニットＹ同士をこのように伸縮緩衝体１１で連結する構成にしたから、気温や水温の変動による底部コルゲート鋼板３及び側部コルゲート鋼板４の伸縮や捻じれを吸収して水漏れを防止し、また衝撃を吸収するので被覆構造体１の耐久性を高めている。
【００２６】
本実施の形態は上述の構成からなるもので、次にその設置作業について説明する。被覆構造体１を設置する用水路５２は既存、新設を問わないが、既存の用水路５２の場合は特に底面５２Ａ及び側面５２Ｂの凹凸を均す、草木を除去するといった平坦化のための整備作業を行う（前処理工程）。次に、用水路５２の底面５２Ａから両側面５２Ｂに配置する形状からなる支持枠材２を、所定の間隔で用水路５２の長手方向に列設する作業を行う（支持枠材列設工程）。
【００２７】
用水路５２内に所定本数の支持枠材２を列設する作業が完了したら、該各支持枠材２上にコルゲート鋼板３、４を敷設する（コルゲート板敷設工程）。即ち、支持枠材２の下枠部材２Ａに底部コルゲート鋼板３を列設し、締着部材５で固定する。隣接する底板コルゲート鋼板３同士は縁部を重畳して連結ボルト・ナット６で連結し、シール材７で隙間を閉塞する。
同様にして、支持枠材２の側枠部材２Ｂに側部コルゲート鋼板４を列設し、締結部材５で固定する。隣接する側部コルゲート鋼板４同士は縁部を重畳して連結ボルト・ナット６で連結し、シール材７で隙間を閉塞する。
【００２８】
次に、上記の工程で用水路５２内に敷設した底部コルゲート鋼板３及び側部コルゲート鋼板４の表面３Ａ、４Ｂの全面に被覆材１１を配設する（被覆材配設工程）。被覆材８は例えばポリウレタン等の軟質材からなる板状体に形成し、厚さ方向にボルト・ナットを収める収容穴８Ａが形成してある。そして、被覆材８は裏面８Ｂに接着剤を塗布して各コルゲート鋼板３、４に押圧して接着する。
【００２９】
更に、前記被覆材８の表面８Ｃに耐久性被装材９を全面的に被着する（被装材被着工程）。耐久性被装材９は本実施の形態では、ポリマーセメントモルタルに高炉スラグ微粉末と無機質の短繊維を混合して調整した製品、例えばエフモル（登録商標）が耐凍害性、耐化学性を有するので好適である。この耐久性被装材９は吹付手段によって被着し、形成する厚さは約３０〜４０ｍｍが目安である。同時に、被覆材８の収容穴８Ａにもエフモルを充填して耐久性被装材９の表面を平坦にする。
【００３０】
最後に、ステンレススチール製の傘木１０を側部コルゲート鋼板４、被覆材８及び耐久性被装材９の上側縁部に嵌合し、隙間をシール材７で閉塞することにより、用水路５２の底面５２Ａ及び両側面５２Ｂを覆う被覆構造体１の設置が完了する。
【００３１】
このようにして設置した用水路被覆構造体１は耐久性と水の流動性に優れているし、雑物が水路を塞がないので維持管理費を低減できる。
【符号の説明】
【００３２】
１        用水路被覆構造体
２        支持枠材
３        底面コルゲート鋼板
４        側面コルゲート鋼板
８        被覆材
９        耐久性被装材
１０      傘木
５１      地盤
５２      用水路
５２Ａ    底面
５２Ｂ    側面
【図１】
2015166539.tif 000003
【図２】
2015166539.tif 000004
【図３】
2015166539.tif 000005
【図４】
2015166539.tif 000006
【図５】
2015166539.tif 000007
【図６】
2015166539.tif 000008
【図７】
2015166539.tif 000009